(57)【要約】【課題】活字輪に設けられたマグネットの数を低減可能な番号印刷装置および活字輪を提供すること。【解決手段】本発明は、番号印刷用の複数の活字面Ｐと、活字面Ｐの間に設けられ、マグネットＧが配置された複数のマグネット配置部Ｍと、活字面Ｐの間に設けられ、マグネットが配置されていない複数の無配置部Ｆと、を有する複数の活字輪Ｗと、マグネットを検出する検出部１６と、を有する番号印刷装置１００であって、活字輪Ｗは、１２個の活字面Ｐと、７個のマグネット配置部Ｍと５個の無配置部Ｆとを有し、７個のマグネット配置部Ｍは、Ｎ磁極のマグネットが配置されたＮ磁極配置部ＭＮと、Ｓ磁極のマグネットが配置されたＳ磁極配置部ＭＳと、を有し、Ｎ磁極配置部ＭＮは４個であり、Ｓ磁極配置部ＭＳは３個であり、検出部１６は、隣接する３個のセンサで１〜３個のマグネットＧを検出し、Ｎ磁極配置部ＭＮ、Ｓ磁極配置部ＭＳおよび無配置部Ｆを検出する。【選択図】図１
2016175278.tif 000002
【特許請求の範囲】
【請求項１】
回転時に印刷物に番号印刷する複数の活字面と、
前記活字面の間に設けられ、マグネットが配置された複数のマグネット配置部と、
前記活字面の間に設けられ、前記マグネットが配置されていない複数の無配置部と、を有する複数の活字輪と、
前記マグネットを検出する検出部と、を有する番号印刷装置であって、
前記活字輪は、１２個の前記活字面と、７個の前記マグネット配置部と、５個の前記無配置部とを有し、
前記活字輪は、周方向において、
隣接する３つの第１マグネット配置部、第２マグネット配置部および第３マグネット配置部と、
前記第３マグネット配置部に隣接する第１無配置部と、
前記第１無配置部に隣接する第４マグネット配置部と、
前記第４マグネット配置部に隣接する第２無配置部と、
前記第２無配置部に隣接する第５マグネット配置部と、
前記第５マグネット配置部に隣接する第６マグネット配置部と、
前記第６マグネット配置部に隣接する第３無配置部と、
前記第３無配置部に隣接する第７マグネット配置部と、
前記第７マグネット配置部に隣接する第４無配置部と、
前記第４無配置部に隣接する第５無配置部と、を有し、
７個の前記マグネット配置部は、Ｎ磁極の前記マグネットが配置されたＮ磁極配置部と、Ｓ磁極の前記マグネットが配置されたＳ磁極配置部と、を有し、前記Ｎ磁極配置部は４個であり、前記Ｓ磁極配置部は３個であり、
前記検出部は、隣接する３個のセンサで１〜３個の前記マグネットを検出し、前記Ｎ磁極配置部、前記Ｓ磁極配置部および無配置部を検出する、
番号印刷装置。
【請求項２】
前記第１〜第３マグネット配置部と、前記第７マグネット配置部とが前記活字輪が有する前記Ｎ磁極配置部であり、
前記第４〜第６マグネット配置部が前記活字輪が有する前記Ｓ磁極配置部である、
請求項１に記載の番号印刷装置。
【請求項３】
前記第１マグネット配置部と、前記４〜第６マグネット配置部とが前記活字輪が有する前記Ｎ磁極配置部であり、
前記第２および第３マグネット配置部と、前記第７マグネット配置部とが前記活字輪が有する前記Ｓ磁極配置部である、
請求項１に記載の番号印刷装置。
【請求項４】
前記第３マグネット配置部と、前記５〜第７マグネット配置部とが前記活字輪が有する前記Ｎ磁極配置部であり、
前記第１および第２マグネット配置部と、前記第４マグネット配置部とが前記活字輪が有する前記Ｓ磁極配置部である、
請求項１に記載の番号印刷装置。
【請求項５】
前記第２マグネット配置部と、前記第４〜第６マグネット配置部とが前記活字輪が有する前記Ｎ磁極配置部であり、
前記第１マグネット配置部と、前記第３マグネット配置部と、前記第７マグネット配置部とが前記活字輪が有する前記Ｓ磁極配置部である、
請求項１に記載の番号印刷装置。
【請求項６】
回転時に印刷物に番号印刷する複数の活字面と、
前記活字面の間にマグネットが配置された複数のマグネット配置部と、
前記活字面の間に前記マグネットが配置されていない複数の無配置部と、を有する複数の活字輪と、
前記マグネットを検出する検出部と、を有する番号印刷装置であって、
前記活字輪は、１２個の前記活字面と、７個の前記マグネット配置部と、５個の前記無配置部とを有し、
前記活字輪は、周方向において、
隣接する３つの第１マグネット配置部、第２マグネット配置部および第３マグネット配置部と、
前記第３マグネット配置部に隣接する第１無配置部と、
前記第１無配置部に隣接する第４マグネット配置部と、
前記第４マグネット配置部に隣接する第２無配置部と、
前記第２無配置部に隣接する第５マグネット配置部と、
前記第５マグネット配置部に隣接する第６マグネット配置部と、
前記第６マグネット配置部に隣接する第３無配置部と、
前記第３無配置部に隣接する第７マグネット配置部と、
前記第７マグネット配置部に隣接する第４無配置部と、
前記第４無配置部に隣接する第５無配置部と、を有し、
７個の前記マグネット配置部は、Ｎ磁極の前記マグネットが配置されたＮ磁極配置部と、Ｓ磁極の前記マグネットが配置されたＳ磁極配置部と、を有し、前記Ｎ磁極配置部は３個であり、前記Ｓ磁極配置部は４個であり、
前記検出部は、隣接する３個のセンサで１〜３個の前記マグネットを検出し、前記Ｎ磁極配置部、前記Ｓ磁極配置部および無配置部を検出する、
番号印刷装置。
【請求項７】
前記第１マグネット配置部と、前記第４〜第６マグネット配置部とが前記活字輪が有する前記Ｓ磁極配置部であり、
前記第２および第３マグネット配置部と、前記第７マグネット配置部とが前記活字輪が有する前記Ｎ磁極配置部である、
請求項６に記載の番号印刷装置。
【請求項８】
前記第３マグネット配置部と、前記第５〜第７マグネット配置部とが前記活字輪が有する前記Ｓ磁極配置部であり、
前記第１および第２マグネット配置部と、前記第４マグネット配置部とが前記活字輪が有する前記Ｎ磁極配置部である、
請求項６に記載の番号印刷装置。
【請求項９】
前記第２マグネット配置部と、前記第４〜第６マグネット配置部とが前記活字輪が有する前記Ｓ磁極配置部であり、
前記第１マグネット配置部と、前記第３マグネット配置部と、前記第７マグネット配置部とが前記活字輪が有する前記Ｎ磁極配置部である、
請求項６に記載の番号印刷装置。
【請求項１０】
前記第１〜３マグネット配置部と、前記第７マグネット配置部とが前記活字輪が有する前記Ｓ磁極配置部であり、
前記第４〜第６マグネット配置部が前記活字輪が有する前記Ｎ磁極配置部である、
請求項６に記載の番号印刷装置。
【請求項１１】
回転時に印刷物に番号印刷する複数の活字面と、
前記活字面の間に設けられ、隣接する３個のセンサで検出される複数のマグネットがそれぞれ配置された複数のマグネット配置部と、
前記活字面の間に設けられ、前記マグネットが配置されていない複数の無配置部と、を有する番号印刷用の活字輪であって、
前記活字面は、１２個設けられ、前記マグネット配置部は、７個設けられ、前記無配置部は、５個設けられており、
周方向において、
隣接する３つの第１マグネット配置部、第２マグネット配置部および第３マグネット配置部と、
前記第３マグネット配置部に隣接する第１無配置部と、
前記第１無配置部に隣接する第４マグネット配置部と、
前記第４マグネット配置部に隣接する第２無配置部と、
前記第２無配置部に隣接する第５マグネット配置部と、
前記第５マグネット配置部に隣接する第６マグネット配置部と、
前記第６マグネット配置部に隣接する第３無配置部と、
前記第３無配置部に隣接する第７マグネット配置部と、
前記第７マグネット配置部に隣接する第４無配置部と、
前記第４無配置部に隣接する第５無配置部と、を有し、
７個の前記マグネット配置部は、Ｎ磁極の前記マグネットが配置されたＮ磁極配置部と、Ｓ磁極の前記マグネットが配置されたＳ磁極配置部と、を有し、前記Ｎ磁極配置部は４個であり、前記Ｓ磁極配置部は３個である、
活字輪。
【請求項１２】
回転時に印刷物に番号印刷する複数の活字面と、
前記活字面の間に設けられ、隣接する３個のセンサで検出される複数のマグネットがそれぞれ配置された複数のマグネット配置部と、
前記活字面の間に設けられ、前記マグネットが配置されていない複数の無配置部と、を有する番号印刷用の活字輪であって、
前記活字面は、１２個設けられ、前記マグネット配置部は、７個設けられ、前記無配置部は、５個設けられており、
周方向において、
隣接する３つの第１マグネット配置部、第２マグネット配置部および第３マグネット配置部と、
前記第３マグネット配置部に隣接する第１無配置部と、
前記第１無配置部に隣接する第４マグネット配置部と、
前記第４マグネット配置部に隣接する第２無配置部と、
前記第２無配置部に隣接する第５マグネット配置部と、
前記第５マグネット配置部に隣接する第６マグネット配置部と、
前記第６マグネット配置部に隣接する第３無配置部と、
前記第３無配置部に隣接する第７マグネット配置部と、
前記第７マグネット配置部に隣接する第４無配置部と、
前記第４無配置部に隣接する第５無配置部と、を有し、
７個の前記マグネット配置部は、Ｎ磁極の前記マグネットが配置されたＮ磁極配置部と、Ｓ磁極の前記マグネットが配置されたＳ磁極配置部と、を有し、前記Ｎ磁極配置部は３個であり、前記Ｓ磁極配置部は４個である、
活字輪。
【発明の詳細な説明】
【技術分野】
【０００１】
本発明は、印刷物に通し番号を印刷するための活字輪を有する番号印刷装置および活字輪に関するものである。
【背景技術】
【０００２】
銀行券や宝くじ等の大量発行される印刷物に、通し番号を印刷する番号印刷装置がある。通し番号は、紙面の所定の位置に、所定の桁数の数列と所定の桁数のアルファベット等の記号を組み合わせて印刷される。番号印刷装置として、例えば特許文献１に記載されたものがある。この番号印刷装置は、１２個の活字面を有する活字輪と、１２個の活字面の間に配置された８個のマグネットと、回転時の活字輪のマグネットの位置から活字面の位置を検出する検出部と、活字輪に設けられた歯に噛合して活字輪の自転を停止／解放を行うロックポールと、ロックポールを動作させるソレノイドと、ソレノイドを制御する制御部と、を有した印字ユニットを複数有している。活字輪に配置されたマグネットは、１２個の活字面間の所定の位置に設けられた８個の孔に８個埋設される。検出部は、マグネットの位置およびマグネットの磁極の組み合わせを検出する。制御部は検出結果に基づいて活字面の位置を特定し、ソレノイドの制御によりロックポールを動作させ、活字輪の回転を制御して印刷すべき活字面を配列する。
【先行技術文献】
【特許文献】
【０００３】
【特許文献１】特開２００６−２２４５１９号公報
【発明の概要】
【発明が解決しようとする課題】
【０００４】
特許文献１に記載された番号印刷装置の活字輪に配置される複数のマグネットは非常に小さい。このマグネットは、活字面間の所定の位置にマグネット装着孔を設けて正確に配置する必要がある。そして、マグネットは、検出部との距離を正確に保つように位置決めされる必要がある。さらに、このマグネットは、単価が高価である。そのため、マグネットは、高精度に活字輪に配置されることが必要とされ、かつ高価であるため、その数がなるべく少なくなるように活字輪に設けられることが望ましい。
本発明は、活字輪に設けられたマグネットの数を低減することができる番号印刷装置および活字輪を提供することを目的とする。
【課題を解決するための手段】
【０００５】
本発明は、回転時に印刷物に番号印刷する複数の活字面と、
前記活字面の間に設けられ、マグネットが配置された複数のマグネット配置部と、
前記活字面の間に設けられ、前記マグネットが配置されていない複数の無配置部と、を有する複数の活字輪と、
前記マグネットを検出する検出部と、を有する番号印刷装置であって、
前記活字輪は、１２個の前記活字面と、７個の前記マグネット配置部と５個の前記無配置部とを有し、
前記活字輪は、周方向において、
隣接する３つの第１マグネット配置部、第２マグネット配置部および第３マグネット配置部と、
前記第３マグネット配置部に隣接する第１無配置部と、
前記第１無配置部に隣接する第４マグネット配置部と、
前記第４マグネット配置部に隣接する第２無配置部と、
前記第２無配置部に隣接する第５マグネット配置部と、
前記第５マグネット配置部に隣接する第６マグネット配置部と、
前記第６マグネット配置部に隣接する第３無配置部と、
前記第３無配置部に隣接する第７マグネット配置部と、
前記第７マグネット配置部に隣接する第４無配置部と、
前記第４無配置部に隣接する第５無配置部と、を有し、
７個の前記マグネット配置部は、Ｎ磁極の前記マグネットが配置されたＮ磁極配置部と、Ｓ磁極の前記マグネットが配置されたＳ磁極配置部と、を有し、前記Ｎ磁極配置部は４個であり、前記Ｓ磁極配置部は３個であり、
前記検出部は、隣接する３個のセンサで１〜３個の前記マグネットを検出し、前記Ｎ磁極配置部、前記Ｓ磁極配置部および無配置部を検出する。
【０００６】
この番号印刷装置において、４個のＮ磁極配置部と、３個のＳ磁極配置部と、５個の無配置部とを有する活字輪と、マグネットの配置パターンを検出する３個のセンサを有する検出部との協働により、活字面を個々に認識する。
【０００７】
また、本発明にかかる番号印刷装置は、前記第１〜第３マグネット配置部と、前記第７マグネット配置部とが前記活字輪が有する前記Ｎ磁極配置部であり、
前記第４〜第６マグネット配置部が前記活字輪が有する前記Ｓ磁極配置部である。
このＮ磁極配置部と、Ｓ磁極配置部と、無配置部との関係により、印刷の利用に供する番号を特定することができる。
【０００８】
また、本発明にかかる番号印刷装置は、前記第１マグネット配置部と、前記４〜第６マグネット配置部とが前記活字輪が有する前記Ｎ磁極配置部であり、
前記第２および第３マグネット配置部と、前記第７マグネット配置部とが前記活字輪が有する前記Ｓ磁極配置部である。
このＮ磁極配置部と、Ｓ磁極配置部と、無配置部との関係により、印刷の利用に供する番号を特定することができる。
【０００９】
また、本発明にかかる番号印刷装置は、前記第３マグネット配置部と、前記５〜第７マグネット配置部とが前記活字輪が有する前記Ｎ磁極配置部であり、
前記第１および第２マグネット配置部と、前記第４マグネット配置部とが前記活字輪が有する前記Ｓ磁極配置部である。
このＮ磁極配置部と、Ｓ磁極配置部と、無配置部との関係により、印刷の利用に供する番号を特定することができる。
【００１０】
活字輪におけるＮ磁極配置部とＳ磁極配置部との配置関係により、３個のセンサで検出されるマグネットの配置パターンを認識し、異なる種類の活字輪の文字を認識することができる。
このＮ磁極配置部と、Ｓ磁極配置部と、無配置部との関係により、印刷の利用に供する番号を特定することができる。
【００１１】
また、本発明にかかる番号印刷装置は、前記第２マグネット配置部と、前記第４〜第６マグネット配置部とが前記活字輪が有する前記Ｎ磁極配置部であり、
前記第１マグネット配置部と、前記第３マグネット配置部と、前記第７マグネット配置部とが前記活字輪が有する前記Ｓ磁極配置部である。
このＮ磁極配置部と、Ｓ磁極配置部と、無配置部との関係により、印刷の利用に供する番号を特定することができる。
【００１２】
本発明は、回転時に印刷物に番号印刷する複数の活字面と、
前記活字面の間にマグネットが配置された複数のマグネット配置部と、
前記活字面の間に前記マグネットが配置されていない複数の無配置部と、を有する複数の活字輪と、
前記マグネットを検出する検出部と、を有する番号印刷装置であって、
前記活字輪は、１２個の前記活字面と、７個の前記マグネット配置部と５個の前記無配置部とを有し、
前記活字輪は、周方向において、
隣接する３つの第１マグネット配置部、第２マグネット配置部および第３マグネット配置部と、
前記第３マグネット配置部に隣接する第１無配置部と、
前記第１無配置部に隣接する第４マグネット配置部と、
前記第４マグネット配置部に隣接する第２無配置部と、
前記第２無配置部に隣接する第５マグネット配置部と、
前記第５マグネット配置部に隣接する第６マグネット配置部と、
前記第６マグネット配置部に隣接する第３無配置部と、
前記第３無配置部に隣接する第７マグネット配置部と、
前記第７マグネット配置部に隣接する第４無配置部と、
前記第４無配置部に隣接する第５無配置部と、を有し、
７個の前記マグネット配置部は、Ｎ磁極の前記マグネットが配置されたＮ磁極配置部と、Ｓ磁極の前記マグネットが配置されたＳ磁極配置部と、を有し、前記Ｎ磁極配置部は３個であり、前記Ｓ磁極配置部は４個であり、
前記検出部は、隣接する３個のセンサで１〜３個の前記マグネットを検出し、前記Ｎ磁極配置部、前記Ｓ磁極配置部および無配置部を検出する。
【００１３】
この番号印刷装置において、４個のＳ磁極配置部と、３個のＮ磁極配置部と、５個の無配置部とを有する活字輪と、マグネットの配置パターンを検出する３個のセンサを有する検出部との協働により、活字面を個々に認識する。
【００１４】
また、本発明にかかる番号印刷装置は、前記第１マグネット配置部と、前記第４〜第６マグネット配置部とが前記活字輪が有する前記Ｓ磁極配置部であり、
前記第２〜第３マグネット配置部と、前記第７マグネット配置部とが前記活字輪が有する前記Ｎ磁極配置部である。
このＮ磁極配置部と、Ｓ磁極配置部と、無配置部との関係により、印刷の利用に供する番号を特定することができる。
【００１５】
また、本発明にかかる番号印刷装置は、前記第３マグネット配置部と、前記第５〜第７マグネット配置部とが前記活字輪が有する前記Ｓ磁極配置部であり、
前記第１および第２マグネット配置部と、前記第４マグネット配置部とが前記活字輪が有する前記Ｎ磁極配置部である。
このＮ磁極配置部と、Ｓ磁極配置部と、無配置部との関係により、印刷の利用に供する番号を特定することができる。
【００１６】
また、本発明にかかる番号印刷装置は、前記第２マグネット配置部と、前記第４〜第６マグネット配置部とが前記活字輪が有する前記Ｓ磁極配置部であり、
前記第１マグネット配置部と、前記第３マグネット配置部と、前記第７マグネット配置部とが前記活字輪が有する前記Ｎ磁極配置部である。
このＮ磁極配置部と、Ｓ磁極配置部と、無配置部との関係により、印刷の利用に供する番号を特定することができる。
【００１７】
また、本発明にかかる番号印刷装置は、前記第１〜３マグネット配置部と、前記第７マグネット配置部とが前記活字輪が有する前記Ｓ磁極配置部であり、
前記第４〜第６マグネット配置部が前記活字輪が有する前記Ｎ磁極配置部である。
このＮ磁極配置部と、Ｓ磁極配置部と、無配置部との関係により、印刷の利用に供する番号を特定することができる。
【００１８】
本発明は、回転時に印刷物に番号印刷する複数の活字面と、
前記活字面の間に設けられ、隣接する３個のセンサで検出される複数のマグネットがそれぞれ配置された複数のマグネット配置部と、
前記活字面の間に設けられ、前記マグネットが配置されていない複数の無配置部と、を有する番号印刷用の活字輪であって、
前記活字面は、１２個設けられ、前記マグネット配置部は、７個設けられ、前記無配置部は、５個設けられており、
周方向において、
隣接する３つの第１マグネット配置部、第２マグネット配置部および第３マグネット配置部と、
前記第３マグネット配置部に隣接する第１無配置部と、
前記第１無配置部に隣接する第４マグネット配置部と、
前記第４マグネット配置部に隣接する第２無配置部と、
前記第２無配置部に隣接する第５マグネット配置部と、
前記第５マグネット配置部に隣接する第６マグネット配置部と、
前記第６マグネット配置部に隣接する第３無配置部と、
前記第３無配置部に隣接する第７マグネット配置部と、
前記第７マグネット配置部に隣接する第４無配置部と、
前記第４無配置部に隣接する第５無配置部と、を有し、
７個の前記マグネット配置部は、Ｎ磁極の前記マグネットが配置されたＮ磁極配置部と、Ｓ磁極の前記マグネットが配置されたＳ磁極配置部と、を有し、前記Ｎ磁極配置部は４個であり、前記Ｓ磁極配置部は３個である。
【００１９】
本発明は、回転時に印刷物に番号印刷する複数の活字面と、
前記活字面の間に設けられ、隣接する３個のセンサで検出される複数のマグネットがそれぞれ配置された複数のマグネット配置部と、
前記活字面の間に設けられ、前記マグネットが配置されていない複数の無配置部と、を有する番号印刷用の活字輪であって、
前記活字面は、１２個設けられ、前記マグネット配置部は、７個設けられ、前記無配置部は、５個設けられており、
周方向において、
隣接する３つの第１マグネット配置部、第２マグネット配置部および第３マグネット配置部と、
前記第３マグネット配置部に隣接する第１無配置部と、
前記第１無配置部に隣接する第４マグネット配置部と、
前記第４マグネット配置部に隣接する第２無配置部と、
前記第２無配置部に隣接する第５マグネット配置部と、
前記第５マグネット配置部に隣接する第６マグネット配置部と、
前記第６マグネット配置部に隣接する第３無配置部と、
前記第３無配置部に隣接する第７マグネット配置部と、
前記第７マグネット配置部に隣接する第４無配置部と、
前記第４無配置部に隣接する第５無配置部と、を有し、
７個の前記マグネット配置部は、Ｎ磁極の前記マグネットが配置されたＮ磁極配置部と、Ｓ磁極の前記マグネットが配置されたＳ磁極配置部と、を有し、前記Ｎ磁極配置部は３個であり、前記Ｓ磁極配置部は４個である。
【発明の効果】
【００２０】
本発明にかかる番号印刷装置および活字輪によると、活字輪に設けられたマグネットの数を低減することができる。
【図面の簡単な説明】
【００２１】
【図１】本発明にかかる番号印刷装置の側面図である。
【図２】番号印刷装置を正面方向から見た断面図である。
【図３】番号器の斜視図である。
【図４】番号器の正面図である。
【図５】番号器の分解斜視図である。
【図６】番号器の内部構造を示した図である。
【図７】番号印刷装置の構成を示したブロック図である。
【図８Ａ】活字輪のマグネット配置関係を示した側面図である。
【図８Ｂ】活字輪のマグネット配置パターンを示した側面図である。
【図９】活字輪の第１の変形例を示した側面図である。
【図１０】活字輪の第２の変形例を示した側面図である。
【図１１】活字輪の第３の変形例を示した側面図である。
【図１２】活字輪の第４の変形例を示した側面図である。
【図１３】活字輪の第５の変形例を示した側面図である。
【図１４】活字輪の第６の変形例を示した側面図である。
【図１５】活字輪の第７の変形例を示した側面図である。
【図１６】マグネット配置パターンを示す図である。
【図１７】シートに印刷された印刷物を示した平面図である。
【発明を実施するための形態】
【００２２】
以下、図面を参照しつつ、本発明にかかる実施形態について説明する。
【００２３】
図１および図２に示されるように、番号印刷装置１００は、印刷対象となるシート１に通し番号を印刷するためのものである。１枚のシート１には、例えば、印刷対象部９０（例えば、銀行券や宝くじ）が印刷されている（図１７参照）。シート１には、印刷対象部９０が４列５行のマトリクス状に配置されている。番号印刷装置１００は、印刷対象部９０が５個並んだ１列９０Ａ（図１７参照）を印刷するための５個の番号器１０と、番号器１０を固定するための取付けリング３２と、インクが染み込んだ着肉ローラ３４と、を主として有する。１列９０Ａを５列分印刷するために、上記と同様の構成を５個配列する。５個の番号器１０は、印刷対象部９０の１列９０Ａを印刷する。なお、５個の番号器１０で番号器ユニット３０を構成する。
【００２４】
５個の番号器１０は、取付けリング３２を介して駆動軸３１周りに配列されている。取付けリング３２は、駆動軸３１と同心をなして駆動軸３１の表面に固定されている。番号器１０は、取付けリング３２により駆動軸３１の径方向に放射状に配置されている。
【００２５】
取付けリング３２の固定歯車３３側には、外周に沿ってストッパ３２ａが形成されている。ストッパ３２ａは、番号器１０の底板１１の一端部に形成された爪部１１ａに係合する。底板１１の他端部に形成された爪部１１ｂは、締着板３５の爪３５ａに係合する。番号器１０の底板１１は、締着板３５によって取付けリング３２にボルト３６で固定される。これにより、番号器１０は、取付けリング３２に固定される。そして、番号器１０は、取付けリング３２を介して駆動軸３１に固定される。駆動軸３１は駆動部６（図７参照）によって駆動され、軸心Ｌ周りに回転する。
【００２６】
駆動軸３１と同心をなすように、太陽歯車として機能する固定歯車３３が配置されている。固定歯車３３は、取付けリング３２に並置されている。固定歯車３３には、番号器１０側の側面に軸心Ｌ周りにカム溝３３ａが延在するように形成されている。カム溝３３ａの一部には、溝が径方向に突出した変形部３３ｂが形成されている。カム溝３３ａには、番号器１０の固定歯車３３側に設けられたリリースレバー２０の先端に設けられたローラ２１が沿うように配置されている。ローラ２１は、後述するように駆動軸３１の回転に伴ってカム溝３３ａに沿って走行する。
【００２７】
駆動軸３１と取付けリング３２とは、連動して固定歯車３３に対して回転する。これにより、駆動軸３１が回転すると、番号器ユニット３０は連動して回転する。番号器ユニット３０は、回転により上方で着肉ローラ３４に接触し、後述する番号器１０が有する活字面Ｐにインクが付着する。番号器ユニット３０は、その後、回転により下方で圧胴３上に配置されたシート１に連番を印刷する。
【００２８】
図３〜図５に示されるように、番号器１０は、フレーム１５と、番号を印刷するための複数の活字輪Ｗが配列された活字輪ユニット５０と、活字輪Ｗの中心軸Ｘ周りに配置された活字面Ｐの位置を検出する検出部１６と、活字輪Ｗの回転の停止および解放を行うための複数のロックポール１３と、ロックポール１３を動作させる複数のソレノイド１８とを主として有する。
【００２９】
フレーム１５の底板１１は、取付けリング３２（図２参照）の外周に沿って湾曲している。底板１１の両側面には、爪部１１ａ，１１ｂが延在するように形成されている。底板１１の両側には、フレーム１５の側板１５ａ，１５ｂが上方に起立して設けられている。側板１５ａ，１５ｂの上部には、Ｕ字状の切欠き部１５ｃ，１５ｄが形成されている。切欠き部１５ｃ，１５ｄには、活字輪ユニット５０の軸受Ｂ１，Ｂ２が上方からそれぞれ嵌め込まれる。
【００３０】
活字輪ユニット５０の上方において、軸受けＢ１，Ｂ２の脱落防止のためにブラケット４０が側板１５ａ，１５ｂにネジ４５，４６により固定される。ブラケット４０では、ブラケット本体４１に板バネ４２が重ねられている。板バネ４２は、両端に腕部４３，４４を有している。腕部４３，４４の先端４３ａ，４４ａは上方に跳ね上がっている。ネジ４５，４６でブラケット本体４１と板バネ４２とが側板１５ａ，１５ｂに共締めされた際に、先端４３ａ，４４ａが活字輪ユニット５０の軸受Ｂ１，Ｂ２を上方から押圧する。
【００３１】
活字輪ユニット５０は、シャフト５１と、シャフト５１が挿入された複数の活字輪Ｗからなる活字輪群１２と、活字輪群１２の両側を軸支する軸受Ｂ１，Ｂ２と、シャフト５１の一端にシャフト５１と同心に形成された番号器駆動歯車５２とを有する。番号器駆動歯車５２には、側板１５ａの固定歯車３３側に設けられた中間歯車５３が噛合している。中間歯車５３は、側板１５ａに回転自在に軸支されている。
【００３２】
中間歯車５３の固定歯車３３側には、中間歯車５３と同心に駆動歯車５４が設けられている。駆動歯車５４は、固定歯車３３に噛合している（図１および２参照）。これにより、番号器ユニット３０が駆動軸３１周りに回転すると、駆動歯車５４は、固定歯車３３に対して遊星歯車となって固定歯車３３周りで公転する。これにより、駆動歯車５４の自転に連動して中間歯車５３が回転し、中間歯車５３から番号器駆動歯車５２に駆動力が伝わって回転する。番号器駆動歯車５２の回転により、シャフト５１が回転する。
【００３３】
シャフト５１には、活字輪群１２が挿入されている。活字輪群１２は、印刷される番号の１〜ｎ桁（本実施形態ではｎ＝１１）の活字輪Ｗが配列されている。それぞれの活字輪Ｗは、シャフト５１に対して回転自在である。シャフト５１と活字輪Ｗとの間には摩擦があり、シャフト５１が回転すると活字輪Ｗはこの摩擦によりシャフト５１と連動して回転する。活字輪Ｗは、数字、アルファベット、記号等の番号を印刷を印刷する各種のものがある。活字輪群１２は、各種の活字輪Ｗの組み合わせによりなる。
【００３４】
活字輪Ｗは、周方向に反転した活字が凸状に形成された１２個の活字面Ｐを有する。活字面Ｐは、活字輪Ｗの回転時に印刷物に番号印刷する。１２個の活字面Ｐの間には、凹部Ｒが１２個形成されている。凹部Ｒには、円柱状のマグネットＧが配置された７個のマグネット配置部Ｍが設けられている。７個のマグネット配置部Ｍは、Ｎ磁極のマグネットが配置されたＮ磁極配置部ＭＮと、Ｓ磁極のマグネットが配置されたＳ磁極配置部ＭＳと、を有する（図８Ｂ〜図１５参照）。マグネットＧは、例えば、ネオジム磁石が用いられる。その他の凹部Ｒは、マグネットＧが配置されていない箇所が５個存在し、これを無配置部Ｆと呼ぶ。活字輪ＷのマグネットＧの配置については後に詳述する。
【００３５】
活字輪ＷのマグネットＧを検出するために、フレーム１５内に検出部１６が設けられている。検出部１６は、活字輪Ｗにそれぞれ対応した複数のセンサ部１６Ａを有する。センサ部１６Ａには、活字輪Ｗの周方向に隣接する３個の凹部Ｒの位置に対向して、マグネットＧの有無を検出するための３個のセンサ１６ａ，１６ｂ，１６ｃが設けられている。センサ１６ａ，１６ｂ，１６ｃは、例えばホール素子等の磁気センサである。センサ１６ａ，１６ｂ，１６ｃの検出結果を用いると、活字輪Ｗの活字面Ｐの位置が特定される。
【００３６】
活字輪Ｗの片側には、活字面Ｐにそれぞれ対応して中心軸Ｘから径方向に放射状に形成された１２個の爪歯Ｗａが形成されている。一部の爪歯Ｗａと爪歯Ｗａとの間には活字輪Ｗの回転を停止させるためのロックポール１３の先端１３ａが噛合している（図６参照）。複数のロックポール１３は、活字輪ユニット５０の下方に配列されている。複数のロックポール１３の先端１３ａは、活字輪群１２の活字輪Ｗと活字輪Ｗとの間に挿入され、爪歯Ｗａに噛合している。
【００３７】
ロックポール１３は、シャフト２６を中心に制限された範囲内で回転する。ロックポール１３は、ソレノイド１８によって回転動作が制御される。ソレノイド１８が有するプランジャ１８ａが伸縮することにより、ロックポール１３は、制限された範囲内で回転する。そして、先端１３ａが爪歯Ｗａに対して噛合と解除を繰り返す。ロックポール１３の下端には、爪歯Ｗａから先端１３ａを解放するための板バネ２４の先端が当接している。
【００３８】
板バネ２４の先端は、複数のロックポール１３の下端を同時に押圧するように複数に分岐している。板バネ２４は、バネホルダ２３に設けられている。バネホルダ２３には、シャフト２２が貫通して嵌め込まれている。シャフト２２は、側板１５ａ，１５ｂに軸支されている。シャフト２２の固定歯車３３側の一端には、バネホルダ２３を回転させるためのリリースレバー２０が設けられている。リリースレバー２０の先端にはローラ２１が回転自在に設けられている。シャフト２２において、バネホルダ２３と側板１５ａとの間には、リリースレバー２０の回転を検出するためのカムセンサ板２８が設けられている。シャフト２２の回転に連動してカムセンサ板２８が回転すると、カムセンサ２９がこの回転を検出する。
【００３９】
リリースレバー２０の回転に連動してバネホルダ２３が回転する。バネホルダ２３の回転により、板バネ２４が複数のロックポール１３の下端１３ｂを同時に押圧することが可能となる。
【００４０】
図６に示されるように、ロックポール１３は、鈍角のＶ字形のブレードからなる。中心部に配置されたシャフト２６を中心としてロックポール１３は、制限された範囲内で回転する。ロックポール１３の先端１３ａには、係止爪１４が形成されている。係止爪１４は、活字輪Ｗの側面に形成された爪歯Ｗａに噛合する。これにより、ロックポール１３は活字輪Ｗに対して拘束状態となり、活字輪Ｗの回転が拘束される。
【００４１】
ロックポール１３には、活字輪Ｗに対して拘束状態を維持するために、バックテンションをかけるバネ１９が設けられている。バネ１９の位置は図示した場所に限らず他の場所に配置されていてもよい。例えば、バネ１９を引張してロックポール１３にバックテンションをかけてもよい。
【００４２】
ロックポール１３の下端１３ｂは、板バネ２４が当接している。板バネ２４に下端１３ｂが押圧されると、ロックポール１３は、シャフト２６を中心に回転する。そして、係止爪１４が爪歯Ｗａから解放される。この時、ロックポール１３が活字輪Ｗに対して解放状態となり、活字輪Ｗが回転自在となる。
【００４３】
ロックポール１３は、先端１３ａ近傍の位置Ａまたは下端１３ｂ近傍の位置Ｂに連結されたソレノイド１８によって回転が制御される。ソレノイド１８は、隣接して配置されたロックポール１３に干渉しないように位置Ａまたは位置Ｂにそれぞれブラケット４７，４８で配置される（図４参照）。ソレノイド１８は、磁界を発生させるコイル１８ｂと、コイル１８ｂに対して移動自在な金属製のプランジャ１８ａと、プランジャ１８ａをコイル１８ｂ側に吸引保持する永久磁石１８ｃとを有している。
【００４４】
ソレノイド１８は、コイル１８ｂに通電されていない状態ではプランジャ１８ａが永久磁石１８ｃに磁気吸引され、ロックポール１３が活字輪Ｗに対して解放状態となる。コイル１８ｂにパルス電流を供給すると、プランジャ１８ａに流れる渦電流により、永久磁石１８ｃの磁界と反対方向の磁界が発生し、プランジャ１８ａが永久磁石１８ｃから解放される。この際、バネ１９によってロックポール１３が付勢されて回転する。
【００４５】
そして、先端１３ａが爪歯Ｗａに噛合し、ロックポール１３が活字輪Ｗに対して拘束状態となる。この際、プランジャ１８ａは、コイル１８ｂに対して伸長する方向に移動する。この状態で永久磁石１８ｃは、プランジャ１８ａを吸引するまでの磁力を有していない。
【００４６】
従って、ロックポール１３の活字輪Ｗに対する解放状態および拘束状態を維持している状態でコイル１８ｂに通電する必要は無い。即ち、プランジャ１８ａを永久磁石１８ｃから解放する時だけコイル１８ｂにパルス電流を通電すればよく、番号器１０は省電力化される。活字輪Ｗの活字面Ｐを変更するためには、プランジャ１８ａを再び永久磁石１８ｃ側に吸引させ、ロックポール１３を活字輪Ｗに対して解放状態とする必要がある。
【００４７】
そのため、ロックポール１３の下端１３ｂをバネホルダ２３に設けられた板バネ２４で押圧し、ロックポール１３を回転させる。バネホルダ２３は、リリースレバー２０の動作に連動して回転する。リリースレバー２０は、リリースレバー２０の先端に設けられたローラ２１の走行によって動作する。ローラ２１は、固定歯車３３に設けられたカム溝３３ａに沿って走行する（図１および図２参照）。ローラ２１がカム溝３３ａの一部に設けられた変形部３３ｂを走行した場合、リリースレバー２０がシャフト２２を中心に回転する。
【００４８】
そして、複数のロックポール１３が同時に活字輪Ｗに対して解放状態となる。番号器１０で印刷対象部９０に印字した後、変形部３３ｂをローラ２１が走行する（図１参照）。ロックポール１３が活字輪Ｗに対して解放状態となった後、番号器１０は、着肉ローラ３４に到達するまでに次の印刷対象部９０を印刷するために、活字輪群１２に配列された複数の活字輪Ｗの活字面Ｐが所定の位置に来るように制御する必要がある。
【００４９】
図７に示されるブロック図のように、番号器１０は、リリースレバー２０の回転を検出するカムセンサ２９と、複数のソレノイド１８を制御する制御部５を有している。カムセンサ２９はカムセンサ板２８によりリリースレバー２０の回転を検出する。カムセンサ２９は、制御部５にカム検出信号を送信する。制御部５は、例えば、ＭＰＵによって実現される。制御部５は、カムセンサ２９からのカム検出信号を受信すると、ソレノイド１８ｂの制御を開始する。制御部５は、センサ１６ａ，１６ｂ，１６ｃが検出した活字輪ＷのマグネットＧの配置パターンに基づいてソレノイド１８を制御して、１〜ｎ桁の活字輪Ｗの文字を所定の配列に揃える。
【００５０】
そして、番号器１０は、活字輪Ｗの文字が所定の配列であるかどうかを確認し、配列ミスが検出された場合に駆動部６を停止させるための外部コントローラ７を有する。以下、各ブロックの動作は、番号印刷装置１００の動作の説明と併せて説明する。
【００５１】
リリースレバー２０により、複数のロックポール１３が同時に活字輪Ｗに対して解放状態となった状態を番号印刷のサイクルの始点とする。駆動部６により、駆動軸３１が駆動されると、取付けリング３２上の複数の番号器１０からなる番号器ユニット３０は、駆動軸３１と連動して回転する。この時、固定歯車３３に噛合している駆動歯車５４は、固定歯車３３の周りを公転する。駆動歯車５４の公転により、駆動歯車５４が回転（自転）する。駆動歯車５４の回転は、中間歯車５３を介して番号器駆動歯車５２に伝達される。
【００５２】
番号器駆動歯車５２が回転すると、シャフト５１が連動して回転する。この時、シャフト５１の回転に連動して１〜ｎ桁に配列された活字輪Ｗがシャフト５１との間の摩擦により回転する。ローラ２１がカム溝３３ａの一部に設けられた変形部３３ｂを走行した後、リリースレバー２０の回転をカムセンサ２９が検出する。カムセンサ２９は、制御部５にカム検出信号を送信する。制御部５は、カム検出信号の受信により、ソレノイド１８の制御を開始する。検出部１６は、センサ１６ａ，１６ｂ，１６ｃにより活字輪Ｗに配置されたマグネットＧを検出する。制御部５は、検出結果に基づいてそれぞれの活字輪Ｗの活字面Ｐの文字を識別する。制御部５は、活字輪群１２の活字面Ｐを所望の文字列に配列するため、活字輪Ｗに対応したそれぞれのロックポール１３のソレノイド１８にパルス電流を流す。
【００５３】
これにより、ロックポール１３は、活字輪Ｗに対して拘束状態となり、活字輪Ｗの回転が停止する。この状態では、シャフト５１は、活字輪Ｗに対して滑り、回転している状態となる。これにより、番号器ユニット３０が着肉ローラ３４に到達するまでに制御部５は、活字輪群１２の活字面Ｐを所望の文字列に配列する。
【００５４】
番号器ユニット３０が着肉ローラ３４を通過する前に、外部コントローラ７は、番号器ユニット３０の各番号器１０のそれぞれの制御部５に対して、活字輪群１２の活字輪Ｗの活字面Ｐが所定の配列であるかどうかを確認するための通信を行う。この際、活字輪Ｗの活字面Ｐの配列ミスが検出された場合は、外部コントローラ７は、駆動部６へ停止命令を出し、駆動部６を停止させる。
【００５５】
番号器ユニット３０が着肉ローラ３４を通過し、活字面Ｐにインクが付着した後、番号器ユニット３０により圧胴３上に配置されたシート１に印刷が行われる。その後、外部コントローラ７は、次のシート１に印刷されるべき活字面Ｐの文字列の配列を各制御部５に通信する。その後、番号器ユニット３０のそれぞれのローラ２１が変形部３３ｂを通過すると、各番号器１０内のロックポール１３が活字輪Ｗに対して解放状態となる。これにより、番号印刷装置１００は、次のシート１に対する番号印刷のサイクルを開始する。上記のサイクルにより、連番の番号が印刷された印刷対象部９０が得られる。
【００５６】
次に、活字輪ＷのマグネットＧの配置パターンについて詳述する。
【００５７】
図８Ａに示されるように、活字輪Ｗは、１２個の活字面Ｐを有している。それぞれの活字面Ｐには周方向に順次連番となるように、文字が反転して立体彫刻されている。複数の活字面Ｐの中でブランクとなっているブランク面ＰＮがある。ブランク面ＰＮは、他の活字面Ｐよりも径方向が小さい面となるように形成されている。これにより、活字輪Ｗは、１１桁の連番を印刷することができる。
【００５８】
１２個の活字面Ｐの間には、活字面Ｐの外径より径方向に小さくなるように凹んだ１２個の凹部Ｒが形成されている。凹部Ｒは、マグネットＧが配置された場合に、これをマグネット配置部Ｍと呼ぶ。これに対し、凹部Ｒは、マグネットＧが配置されていない場合に、これを第１〜第５無配置部Ｆ１〜Ｆ５と呼ぶ。活字輪Ｗは、７個の第１〜第７マグネット配置部Ｍ１〜Ｍ７と、５個の第１〜第５無配置部Ｆ１〜Ｆ５とを有している。
【００５９】
７個の第１〜第７マグネット配置部Ｍ１〜Ｍ７は、隣接する３個の第１マグネット配置部Ｍ１と、第２マグネット配置部Ｍ２と、第３マグネット配置部Ｍ３と、を有する。第１マグネット配置部Ｍ１を始点として、反時計回りに第２マグネット配置部Ｍ２が隣接して配置される。第２マグネット配置部Ｍ２に隣接して第３マグネット配置部Ｍ３が配置される。第３マグネット配置部Ｍ３に隣接して第１無配置部Ｆ１が配置される。第１無配置部Ｆ１に隣接して第４マグネット配置部Ｍ４が配置される。
【００６０】
第４マグネット配置部Ｍ４に隣接して第２無配置部Ｆ２が配置される。第２無配置部Ｆ２に隣接して第５マグネット配置部Ｍ５が配置される。第５マグネット配置部Ｍ５に隣接して第６マグネット配置部Ｍ６が配置される。第６マグネット配置部Ｍ６に隣接して第３無配置部Ｆ３が配置される。第３無配置部Ｆ３に隣接して第７マグネット配置部Ｍ７が配置される。第７マグネット配置部Ｍ７に隣接して第４無配置部Ｆ４が配置される。第４無配置部Ｆ４に隣接して第５無配置部Ｆ５が配置される。次に、活字輪Ｗの具体的な例である活字輪Ｗ１について詳述する
【００６１】
図８Ｂに示されるように、活字輪Ｗ１は、１２個の活字面Ｐを有している。活字輪Ｗ１には、数字の連番が割り当てられている。活字輪Ｗ１において、７個の第１〜第７マグネット配置部Ｍは、Ｎ磁極のマグネットＧＮが配置された４個のＮ磁極配置部ＭＮと、Ｓ磁極のマグネットＧＳが配置された３個のＳ磁極配置部ＭＳと、を有する。Ｎ磁極配置部ＭＮは、凹部Ｒに穿設されたマグネット装着孔Ｈに、マグネットＧのＮ磁極が活字輪Ｗの径方向に露出するようにマグネットＧが嵌め込まれて形成されている。Ｓ磁極配置部ＭＳは、凹部Ｒに穿設されたマグネット装着孔Ｈに、マグネットＧのＳ磁極が活字輪Ｗの径方向に露出するようにマグネットＧが嵌め込まれて形成されている。
【００６２】
ここで、第１マグネット配置部Ｍ１と、第２マグネット配置部Ｍ２と、第３マグネット配置部Ｍ３と、第７マグネット配置部Ｍ７が活字輪Ｗ１が有するＮ磁極配置部ＭＮである。そして、第４マグネット配置部Ｍ４と、第５マグネット配置部Ｍ５と、第６マグネット配置部Ｍ６とが活字輪Ｗ１が有するＳ磁極配置部ＭＳである。検出部１６は、センサで１〜３個の活字輪Ｗ１のマグネットＧを検出し、Ｎ磁極配置部ＭＮ、Ｓ磁極配置部ＭＳおよび無配置部Ｆを検出する（図６参照）。
【００６３】
隣接する３個の第１〜第３マグネット配置部Ｍ１〜Ｍ３を、検出部１６のセンサ１６ａ，１６ｂ，１６ｃ（図６参照）が検出すると、制御部５（図７参照）は、これを基準点として活字面Ｐの文字の位置を認識する。活字輪Ｗ１において、３個の第１〜第３マグネット配置部Ｍ１〜Ｍ３がセンサ１６ａ，１６ｂ，１６ｃによって検出された場合、印刷対象部９０を印刷する位置に配置される文字は「０」である（図６参照）。
【００６４】
活字輪Ｗ１で検出されるマグネットＧの配置パターンは、図１６（Ａ）に示す通りである。先ず、基準点となる第１〜第３マグネット配置部Ｍ１〜Ｍ３の３個のＮ磁極配置部ＭＮがセンサ１６ａ，１６ｂ，１６ｃによって検出された場合、活字輪Ｗ１の印字面は「０」である。
【００６５】
活字輪Ｗ１が上記位置から係止爪Ｗａの１ピッチ分、時計回りに回転した位置では、センサ１６ａ，１６ｂ，１６ｃは、それぞれ第１無配置部Ｆ１、Ｎ磁極配置部ＭＮの第３マグネット配置部Ｍ３、Ｎ磁極配置部ＭＮの第２マグネット配置部Ｍ２を検出する。この場合、活字輪Ｗ１の印字面は「１」である。
【００６６】
活字輪Ｗ１が上記位置から係止爪Ｗａの１ピッチ分、時計回りに回転した位置では、センサ１６ａ，１６ｂ，１６ｃは、それぞれＳ磁極配置部ＭＳの第４マグネット配置部Ｍ４、第１無配置部Ｆ１、Ｎ磁極配置部ＭＮの第３マグネット配置部Ｍ３を検出する。この場合、活字輪Ｗ１の印字面は「２」である。
【００６７】
活字輪Ｗ１が上記位置から係止爪Ｗａの１ピッチ分、時計回りに回転した位置では、センサ１６ａ，１６ｂ，１６ｃは、それぞれ第２無配置部Ｆ２、Ｓ磁極配置部ＭＳの第４マグネット配置部Ｍ４、第１無配置部Ｆ１を検出する。この場合、活字輪Ｗ１の印字面は「３」である。
【００６８】
活字輪Ｗ１が上記位置から係止爪Ｗａの１ピッチ分、時計回りに回転した位置では、センサ１６ａ，１６ｂ，１６ｃは、それぞれＳ磁極配置部ＭＳの第５マグネット配置部Ｍ５、第２無配置部Ｆ２、Ｓ磁極配置部ＭＳの第４マグネット配置部Ｍ４を検出する。この場合、活字輪Ｗ１の印字面は「４」である。
【００６９】
活字輪Ｗ１が上記位置から係止爪Ｗａの１ピッチ分、時計回りに回転した位置では、センサ１６ａ，１６ｂ，１６ｃは、それぞれＳ磁極配置部ＭＳの第６マグネット配置部Ｍ６、Ｓ磁極配置部ＭＳの第５マグネット配置部Ｍ５、第２無配置部Ｆ２を検出する。この場合、活字輪Ｗ１の印字面は「５」である。
【００７０】
活字輪Ｗ１が上記位置から係止爪Ｗａの１ピッチ分、時計回りに回転した位置では、センサ１６ａ，１６ｂ，１６ｃは、それぞれ第３無配置部Ｆ３、Ｓ磁極配置部ＭＳの第６マグネット配置部Ｍ６、Ｓ磁極配置部ＭＳの第５マグネット配置部Ｍ５を検出する。この場合、活字輪Ｗ１の印字面は「６」である。
【００７１】
活字輪Ｗ１が上記位置から係止爪Ｗａの１ピッチ分、時計回りに回転した位置では、センサ１６ａ，１６ｂ，１６ｃは、それぞれＮ磁極配置部ＭＮの第７マグネット配置部Ｍ７、第３無配置部Ｆ３、Ｓ磁極配置部ＭＳの第６マグネット配置部Ｍ６を検出する。この場合、活字輪Ｗ１の印字面は「７」である。
【００７２】
活字輪Ｗ１が上記位置から係止爪Ｗａの１ピッチ分、時計回りに回転した位置では、センサ１６ａ，１６ｂ，１６ｃは、それぞれ第４無配置部Ｆ４、Ｎ磁極配置部ＭＮの第７マグネット配置部Ｍ７、第３無配置部Ｆ３を検出する。この場合、活字輪Ｗ１の印字面は「８」である。
【００７３】
活字輪Ｗ１が上記位置から係止爪Ｗａの１ピッチ分、時計回りに回転した位置では、センサ１６ａ，１６ｂ，１６ｃは、それぞれ第５無配置部Ｆ５、第４無配置部Ｆ４、Ｎ磁極配置部ＭＮの第７マグネット配置部Ｍ７を検出する。この場合、活字輪Ｗ１の印字面は「９」である。
【００７４】
活字輪Ｗ１が上記位置から係止爪Ｗａの１ピッチ分、時計回りに回転した位置では、センサ１６ａ，１６ｂ，１６ｃは、それぞれＮ磁極配置部ＭＮの第１マグネット配置部Ｍ１、第５無配置部Ｆ５、第４無配置部Ｆ４を検出する。この場合、活字輪Ｗ１の印字面は「※」である。
【００７５】
活字輪Ｗ１が上記位置から係止爪Ｗａの１ピッチ分、時計回りに回転した位置では、センサ１６ａ，１６ｂ，１６ｃは、それぞれＮ磁極配置部ＭＮの第２マグネット配置部Ｍ２、Ｎ磁極配置部ＭＮの第１マグネット配置部Ｍ１、第５無配置部Ｆ５を検出する。この場合、活字輪Ｗ１の印字面は「□（ブランク）」である。
【００７６】
このマグネットＧの配置によると、活字輪Ｗ１の回転の伴い、異なるマグネットＧの配置パターンが出現する。この配置パターンは、それぞれの文字で重複すること無く、それぞれの文字を個別に認識することができ、印刷の利用に供する番号を特定することができる。活字輪Ｗ１は、例えば、千円券の連番を印刷する場合に用いられる。
【００７７】
（活字輪の第１の変形例）
図９に示されるように、活字輪Ｗ２は、活字輪Ｗ１と同様に１２個の活字面Ｐを有している。活字輪Ｗ２には、Ａ〜ＫおよびＺのアルファベットが割り当てられている。アルファベットの「Ｉ」は、数字の「１」と混同が生じるために除かれている。そして、活字輪Ｗ２は、複数の活字面Ｐの間に７個の第１〜第７マグネット配置部Ｍ１〜Ｍ７と、５個の第１〜第５無配置部Ｆ１〜Ｆ５とを有している。
【００７８】
活字輪Ｗ２において、７個の第１〜第７マグネット配置部Ｍ１〜Ｍ７と、５個の第１〜第５無配置部Ｆ１〜Ｆ５との配置関係は活字輪Ｗ１と同様である。以下の説明では、活字輪Ｗ１と同一の部分については同一の符号を用い、重複する説明は適宜省略する。
【００７９】
ここで、第１マグネット配置部Ｍ１と、第４マグネット配置部Ｍ４と、第５マグネット配置部Ｍ５と、第６マグネット配置部Ｍ６と、が活字輪Ｗ２が有するＮ磁極配置部ＭＮである。そして、第２マグネット配置部Ｍ２と、第３マグネット配置部Ｍ３と、第７マグネット配置部Ｍ７とが活字輪Ｗ２が有するＳ磁極配置部ＭＳである。
【００８０】
活字輪Ｗ２において、３個の第１〜第３マグネット配置部Ｍ１〜Ｍ３がセンサ１６ａ，１６ｂ，１６ｃによって検出された場合、印刷対象部９０を印刷する位置に配置される文字は「Ａ」である（図６参照）。活字輪Ｗ２で検出されるマグネットＧの配置パターンは、図１６（Ｄ）に示す通りである。活字輪Ｗ２は、例えば、１万円券の連番を印刷する場合に用いられる。
【００８１】
（活字輪の第２の変形例）
図１０に示されるように、活字輪Ｗ３は、活字輪Ｗ１と同様に１２個の活字面Ｐを有している。活字輪Ｗ３には、Ｈ〜Ｔのアルファベットが割り当てられている。アルファベットの「Ｉ」，「Ｏ」は、数字の「１」，「０」と混同が生じるために除かれている。
【００８２】
ここで、第３マグネット配置部Ｍ３と、第５マグネット配置部Ｍ５と、第６マグネット配置部Ｍ６と、第７マグネット配置部Ｍ７とが活字輪Ｗ３が有するＮ磁極配置部ＭＮである。そして、第１マグネット配置部Ｍ１と、第２マグネット配置部Ｍ２と、第４マグネット配置部Ｍ４とが前記活字輪が有するＳ磁極配置部ＭＳである。
【００８３】
活字輪Ｗ３において、３個の第１〜第３マグネット配置部Ｍ１〜Ｍ３がセンサ１６ａ，１６ｂ，１６ｃによって検出された場合、印刷対象部９０を印刷する位置に配置される文字は「Ｈ」である（図６参照）。活字輪Ｗ３で検出されるマグネットＧの配置パターンは、図１６（Ｆ）に示す通りである。活字輪Ｗ３は、例えば、１万円券の連番を印刷する場合に用いられる。
【００８４】
（活字輪の第３の変形例）
図１１に示されるように、活字輪Ｗ４は、活字輪Ｗ１と同様に１２個の活字面Ｐを有している。活字輪Ｗ４には、Ａ，Ｂ，Ｒ〜Ｚのアルファベットが割り当てられている。
【００８５】
ここで、第２マグネット配置部Ｍ２と、第４マグネット配置部Ｍ４と、第５マグネット配置部Ｍ５と、第６マグネット配置部Ｍ６とが活字輪Ｗ４が有するＮ磁極配置部ＭＮである。そして、第１マグネット配置部Ｍ１と、第３マグネット配置部Ｍ３と、第７マグネット配置部Ｍ７とが活字輪Ｗ４が有するＳ磁極配置部ＭＳである。
【００８６】
活字輪Ｗ４において、３個の第１〜第３マグネット配置部Ｍ１〜Ｍ３がセンサ１６ａ，１６ｂ，１６ｃによって検出された場合、印刷対象部９０を印刷する位置に配置される文字は「Ａ」である（図６参照）。活字輪Ｗ４で検出されるマグネットＧの配置パターンは、図１６（Ｈ）に示す通りである。活字輪Ｗ４は、例えば、１万円券の連番を印刷する場合に用いられる。
【００８７】
（活字輪の第４の変形例）。
図１２に示されるように、活字輪Ｗ５は、活字輪Ｗ１と同様に１２個の活字面Ｐを有している。活字輪Ｗ５には、Ａ〜ＫおよびＺのアルファベットが割り当てられている。アルファベットの「Ｉ」は、数字の「１」と混同が生じるために除かれている。そして、活字輪Ｗ５は、複数の活字面Ｐの間に７個の第１〜第７マグネット配置部Ｍ１〜Ｍ７と、５個の第１〜第５無配置部Ｆ１〜Ｆ５とを有している。
【００８８】
活字輪Ｗ５において、７個の第１〜第７マグネット配置部Ｍ１〜Ｍ７と、５個の第１〜第５無配置部Ｆ１〜Ｆ５との配置関係は活字輪Ｗ１と同様である。そして、活字輪Ｗ５において、７個のマグネット配置部Ｍは、Ｎ磁極のマグネットＧが配置された３個のＮ磁極配置部ＭＮと、Ｓ磁極のマグネットＧが配置された４個のＳ磁極配置部ＭＳと、を有する。以下の説明では、活字輪Ｗ１と同一の部分については同一の符号を用い、重複する説明は適宜省略する。
【００８９】
ここで、第１マグネット配置部Ｍ１と、第４マグネット配置部Ｍ４と、第５マグネット配置部Ｍ５と、第６マグネット配置部Ｍ６とが活字輪Ｗ５が有するＳ磁極配置部ＭＳである。そして、第２マグネット配置部Ｍ２と、第３マグネット配置部Ｍ３と、前記第７マグネット配置部Ｍ７とが活字輪Ｗ５が有するＮ磁極配置部ＭＮである。
【００９０】
活字輪Ｗ５において、３個の第１〜第３マグネット配置部Ｍ１〜Ｍ３がセンサ１６ａ，１６ｂ，１６ｃによって検出された場合、印刷対象部９０を印刷する位置に配置される文字は「Ａ」である（図６参照）。活字輪Ｗ５で検出されるマグネットＧの配置パターンは、図１６（Ｃ）に示す通りである。活字輪Ｗ５は、例えば、千円券の連番を印刷する場合に用いられる。
【００９１】
（活字輪の第５の変形例）。
図１３に示されるように、活字輪Ｗ６は、活字輪Ｗ１と同様に１２個の活字面Ｐを有している。活字輪Ｗ６には、Ｈ〜Ｔのアルファベットが割り当てられている。アルファベットの「Ｉ」，「Ｏ」は、数字の「１」，「０」と混同が生じるために除かれている。
【００９２】
ここで、第３マグネット配置部Ｍ３と、第５マグネット配置部Ｍ５と、第６マグネット配置部Ｍ６と、第７マグネット配置部Ｍ７とが活字輪Ｗ６が有するＳ磁極配置部ＭＳである。そして、第１マグネット配置部Ｍ１と、第２マグネット配置部Ｍ２と、第４マグネット配置部Ｍ４とが活字輪Ｗ６が有するＮ磁極配置部ＭＮである。
【００９３】
活字輪Ｗ６において、３個の第１〜第３マグネット配置部Ｍ１〜Ｍ３がセンサ１６ａ，１６ｂ，１６ｃによって検出された場合、印刷対象部９０を印刷する位置に配置される文字は「Ｈ」である（図６参照）。活字輪Ｗ６で検出されるマグネットＧの配置パターンは、図１６（Ｅ）に示す通りである。活字輪Ｗ６は、例えば、千円券の連番を印刷する場合に用いられる。
【００９４】
（活字輪の第６の変形例）。
図１４に示されるように、活字輪Ｗ７は、活字輪Ｗ１と同様に１２個の活字面Ｐを有している。活字輪Ｗ７には、Ａ，Ｂ，Ｒ〜Ｚのアルファベットが割り当てられている。
【００９５】
ここで、第２マグネット配置部Ｍ２と、第４マグネット配置部Ｍ４と、第５マグネット配置部Ｍ５と、第６マグネット配置部Ｍ６とが活字輪Ｗ７が有するＳ磁極配置部ＭＳである。そして、第１マグネット配置部Ｍ１と、第３マグネット配置部Ｍ３と、第７マグネット配置部Ｍ７とが活字輪Ｗ７が有するＮ磁極配置部ＭＮである。
【００９６】
活字輪Ｗ７において、３個の第１〜第３マグネット配置部Ｍ１〜Ｍ３がセンサ１６ａ，１６ｂ，１６ｃによって検出された場合、印刷対象部９０を印刷する位置に配置される文字は「Ａ」である（図６参照）。活字輪Ｗ７で検出されるマグネットＧの配置パターンは、図１６（Ｇ）に示す通りである。活字輪Ｗ７は、例えば、千円券の連番を印刷する場合に用いられる。
【００９７】
（活字輪の第７の変形例）。
図１５に示されるように、活字輪Ｗ８は、活字輪Ｗ１と同様に１２個の活字面Ｐを有している。活字輪Ｗ８には、数字の連番が割り当てられている。
【００９８】
ここで、第１マグネット配置部Ｍ１と、第２マグネット配置部Ｍ２と、３マグネット配置部Ｍ３と、第７マグネット配置部Ｍ７とが活字輪Ｗ８が有するＳ磁極配置部ＭＳである。そして、第４マグネット配置部Ｍ４と、第５マグネット配置部Ｍ５と、第６マグネット配置部Ｍ６とが活字輪Ｗ８が有するＮ磁極配置部ＭＮである。
【００９９】
活字輪Ｗ８において、３個の第１〜第３マグネット配置部Ｍ１〜Ｍ３がセンサ１６ａ，１６ｂ，１６ｃによって検出された場合、印刷対象部９０を印刷する位置に配置される文字は「０」である（図６参照）。活字輪Ｗ８で検出されるマグネットＧの配置パターンは、図１６（Ｂ）に示す通りである。活字輪Ｗ８は、例えば、１万円券の連番を印刷する場合に用いられる。
【０１００】
図１６に示されるように、活字輪Ｗ１〜Ｗ８からセンサ１６ａ，１６ｂ，１６ｃによって検出されるマグネットＧの配置パターンはいずれも重複すること無く、それぞれの活字輪Ｗ１〜Ｗ８を個別に認識することができる。活字輪Ｗ１〜Ｗ８を複数個組み合わせて番号器１０の活字輪群１２に組み込んで配列することで、連番を印刷することができる番号印刷装置１００が得られる。
【０１０１】
例えば、千円券の連番を印刷する場合は、活字輪Ｗ１，活字輪Ｗ５，活字輪Ｗ６，活字輪Ｗ７を組み合わせて活字輪群１２に配列すればよい。そして、１万円券連番を印刷する場合は、活字輪Ｗ２，活字輪Ｗ３，活字輪Ｗ４，活字輪Ｗ８を組み合わせて活字輪群１２に配列すればよい。仮に、誤った活字輪Ｗ１〜Ｗ８を活字輪群１２に配列した場合でも、検出結果から誤って組み込まれた活字輪Ｗ１〜Ｗ８のいずれかを認識して特定することができる。
【０１０２】
上述したように、番号印刷装置１００によると、活字輪Ｗ１〜Ｗ８は、特許文献１に記載された番号印刷装置の活字輪に比してマグネットＧの数を低減することができる。番号印刷装置１００の活字輪Ｗ１〜Ｗ８は、マグネットＧの数を７個に低減したのにもかかわらず、番号印刷に必要な８通りのマグネット配置パターンを確保することができ、印刷の利用に供する番号を特定することができる。そして、番号印刷装置１００により、マグネットＧの数を低減することができ、活字輪ＷにマグネットＧを配置する加工工程を低減し、加工コストおよびマグネットＧにかかる原材料コストを低減することができる。
【符号の説明】
【０１０３】
Ｆ１-Ｆ５        無配置部
Ｇ            マグネット
ＧＮ            Ｎ磁極マグネット
ＧＳ            Ｓ磁極マグネット
Ｈ            マグネット装着孔
Ｍ１-Ｍ７        マグネット配置部
ＭＮ            Ｎ磁極配置部
ＭＳ            Ｓ磁極配置部
Ｐ            活字面
ＰＮ            ブランク面
Ｒ            凹部
Ｗ１-Ｗ８        活字輪
Ｗａ            爪歯
１            シート
３            圧胴
５            制御部
６            駆動部
７            外部コントローラ
１０            番号器
１２            活字輪群
１３            ロックポール
１５            フレーム
１６            検出部
１６Ａ            センサ部
１６ａ，１６ｂ，１６ｃ    センサ
１８            ソレノイド
２０            リリースレバー
２１            ローラ
２８            カムセンサ板
２９            カムセンサ
３０            番号器ユニット
３１            駆動軸
３２            リング
３３            固定歯車
３３ａ            カム溝
３３ｂ            変形部
３４            着肉ローラ
５１            シャフト
９０            印刷対象部
１００            番号印刷装置
【図１】
2016175278.tif 000003
【図２】
2016175278.tif 000004
【図３】
2016175278.tif 000005
【図４】
2016175278.tif 000006
【図５】
2016175278.tif 000007
【図６】
2016175278.tif 000008
【図７】
2016175278.tif 000009
【図８Ａ】
2016175278.tif 000010
【図８Ｂ】
2016175278.tif 000011
【図９】
2016175278.tif 000012
【図１０】
2016175278.tif 000013
【図１１】
2016175278.tif 000014
【図１２】
2016175278.tif 000015
【図１３】
2016175278.tif 000016
【図１４】
2016175278.tif 000017
【図１５】
2016175278.tif 000018
【図１６】
2016175278.tif 000019
【図１７】
2016175278.tif 000020